(57)【要約】【課題】  鞄の取っ手を持ち上げることで、鞄の計量が出来るように、取っ手の機能を損なうことなく、構造が簡単で安価な秤を取っ手に組み込むという課題を解決する。【解決手段】  取っ手は普通２個所で鞄に固定されるので、組み込まれた秤はこの２個所にはたらく力の合計から重量を算出する。伸縮自在な取っ手に取り付けられた２本のワイヤーの伸びを合計して読み取るために、ワイヤーをそれぞれの伸び指標点の動きが逆になるよう構成し、主尺と副尺をそれら指標点に取り付ける。主尺と副尺の相対的な移動距離を、幅と間隔が略等しい目盛りの主尺と副尺を用い、それらの重ね合わせにより生じるモアレ縞の移動距離から読み取る。【選択図】    図１
2006311976.tif 000002
【特許請求の範囲】
【請求項１】
一対の腕部と水平な握り部から成るコの字形の中空な取っ手、前記の取っ手の内部の屈曲部にそれぞれ配置された屈曲溝、前記の取っ手の内部でそれぞれ一端が固定され、前記の屈曲溝と前記の腕部を経てそれぞれ他端が鞄の取り付け金具に取り付けられる二本のワイヤー、及び前記の取っ手の内部の水平な握り部で重ねて配置され、該握り部の長手方向に摺動でき、目盛りを設けたの主尺と副尺から構成され、前記の取っ手を持ち上げたときの二本のワイヤーの伸びが前記の主尺と副尺の長手方向の動きと連動することにより、前記の主尺と副尺の目盛りの重なりから生じるモアレ縞の位置から鞄の重さを読み取ることを特徴とする鞄の秤組み込み取っ手。
【請求項２】
前記の取っ手の一対の腕部の端部と前記の鞄の取り付け金具とを連結・開放できるようにした腕固定具を備えた請求項１に記載の鞄の秤組み込み取っ手。
【請求項３】
前記の主尺のｎ−１目盛り分の長さをｎ等分した目盛りを、ｎ目盛り以上の長さ有する副尺と、この副尺に対応する長さの主尺を備えた請求項１および請求項２に記載の鞄の秤組み込み取っ手。
【発明の詳細な説明】
【技術分野】
【０００１】  本発明は、秤の機能を備えた旅行鞄の取っ手に関わる。
【背景技術】
【０００２】  計量の目的で取っ手と鞄の本体との間にロードセルを設置し、重量を電子式ディジタル表示板に表示する鞄（実用新案文献１）が知られているが、価格が高く広く利用されるには至っていない。
【実用新案文献１】
実用新案第３０５２１５４号
【発明の開示】
【発明が解決しようとする課題】
【０００３】  旅行鞄の計量には台秤やバネ秤が用いられる。取引など正確な計量が必要な場合は別として、重量の概略値が得られればよい場合も多々あるので、簡便な計量法が望まれる。本発明は旅行鞄などの取っ手に秤を組み込むことにより、取っ手を握り鞄を持ち上げることで、鞄の重量を計量する手段を提供する。【０００４】  取っ手に組み込まれた秤は、通常の状態では取っ手の機能を妨げてはならない。そのため取っ手には秤の機能をロックする機構を備える必要がある。取っ手は普通２個所で鞄に固定されるので、組み込まれた秤はこの２個所にはたらく力を合計し重量を算出する。２個所の固定位置それぞれに計量機構を備えると同時に、それら計量結果を合計する機構も備える必要がある。鞄の内容物が均等に置かれていない場合、取っ手の腕にかかる力が均衡しない。組み込まれた秤はこの不均衡を克服し、正しく計量する機構が必要となる。また、計量値の読取は鞄を腕で吊り下げた状態で行われるため、腕の長さ程度の距離からでも容易に読み取りが可能な表示装置を備える必要がある。更に、鞄が許容量以上の内容物を含む場合に秤を保護する機能も必要となる。
【課題を解決するための手段】
【０００５】  図１は本発明の一実施例を一部断面図で示す正面図である。水平な握り部１と垂直方向に伸縮自在な左右の腕部２、３からなる取っ手を、２本のワイヤー４、５で鞄と結び、鞄を吊り下げる構造である。左右の腕部２、３は左右の取り付け金具７を介して鞄本体に固定される。すなわち、左ワイヤー４の左下端６は左取り付け金具７の軸８に固定され、左腕部２、滑車などの左屈曲溝９を経て握り部１を通り、その右端１０は取っ手に固定される。同様に、右ワイヤー５は右取り付け金具の軸（図示せず）に固定され、右腕部３、右屈曲溝１１を経て握り部１を通りその左端１２は取っ手に固定される。【０００６】  左ワイヤー４には、主尺駆動金具１３が取り付けられ、そのピン１４を介して、透明な材質に主尺目盛りが付された主尺１５の穴１６に連結される。一方、右ワイヤー５には、副尺駆動金具１７が取り付けられ、そのピン１８を介して、副尺目盛りが付された副尺１９の穴２０に連結される。主尺１５および副尺１９は、主尺を上に副尺を下に重ねて溝２１の中に配置され、どちらも水平方向に摺動可能である。そして、左右ワイヤーの伸びに応じて、主尺は左に、副尺は右に移動する。それぞれの移動が逆向きであるため主尺と副尺の相対的な移動距離は左右ワイヤーの伸びの和に等しくなる。伸びと重さの関係伸び率が左右ワイヤーで等しくなるように、左右のワイヤーは同一の弾性特性をもつと同時に、左ワイヤー固定位置１０と主尺駆動金具１３の取り付け位置との距離、および右ワイヤー固定位置１２と副尺駆動金具１７の取り付け位置との距離を等しくする必要がある。【０００７】  また、図１は取っ手左腕部の構造を示す。取り付け金具の軸８に取り付けられたロッド２３を介して、ピストン２４が取っ手腕部のシリンダー２５に挿入された構造である。ワイヤーが荷重により伸び過ぎることを防ぐ目的でシリンダー２５の下部にはストッパー２６が設けてある。荷重に不均衡がある場合は左右ワイヤーの伸びが異なるため、ピストンの動きが滑らかに行かない。この問題を克服するために、ピストン２４およびロッド２３は合成樹脂などで作られ、ロッド２３は外力により容易にたわむ構造とする。伸びの違いにより取っ手が水平から傾くと、ロッドがたわみピストンも一緒に傾くので、腕部は滑らかに伸縮し正確な計量が可能となる。【０００８】  計量時には取っ手腕部の下端２９は腕固定部２７から離れ、取っ手は自由に伸縮して計量が行われる。秤を使用しない場合は、取っ手取付金具の軸８に固定された腕固定部２７に付属する袋ナットなどの固定具２８を、腕下端２９にねじ込むことで取っ手腕部２と腕固定部２７とを固定する。【０００９】  図２は図１取っ手握り部のＡＡ’矢視断面図を示す。取っ手上部に設けた溝２１に、下からワイヤー４および５、副尺１９、主尺１５、読取用の窓２２が取り付けられている様子を示す。また、ワイヤー４には主尺駆動金具１３が取り付けられている。【００１０】  図３は主尺駆動金具の拡大図を示す。主尺駆動金具１３は２本のワイヤー４、５を挟むＵ字型構造で、その元の部分が一方のワイヤー４に固定され、その先の部分は他のワイヤー５を挟んで自由に摺動する構造となっている。これにより金具の中央部に取り付けられた主尺駆動ピン１４は、傾くことなくワイヤーの長手方向に移動する。これらの動きは、連結穴１６を介して主尺１５に伝えられる。主尺の下に重ねて取り付けられた副尺１９が、主尺駆動ピン１４の動きを妨げないように、副尺１９には溝３１が設けてある。【００１１】  図４は溝２１に重ねて配置された主尺と副尺を上から見た図で、主尺１５のみが示されている。主尺および副尺は溝２１の中を長手方向に独立に摺動できる。また、図には主尺１５に付された目盛り３０が示されている。左端部には副尺に設けた溝３１が点線で示されているが、主尺に連結した主尺駆動ピン１４はその中を自由に動く。そして、ピンの動きは副尺の動きとは独立に主尺に伝えられる。また、右端部には主尺に設けた溝３２が実線で示されているが、副尺に連結した副尺駆動ピン１８はその中を自由に動く。そして、ピンの動きは主尺の動きとは独立に副尺に伝えられる。主尺は透明な材質で出来ているため、上側から主尺と副尺の目盛りを重ねて観察することが可能である。【００１２】  図５および図６は、主尺と副尺に付された目盛りの幅と間隔を略等しくし、それぞれを重ね合わせることでモアレ縞が生ずる様子を示す。副尺の長さが主尺の１９日盛り分の長さを２０等分した場合、即ち副尺の分割数ｎが２０の例で、図５は副尺の目盛り零の位置３４と主尺の目盛り零の位置３３が一致している場合、図６は副尺が主尺の２０分の１０目盛り右に移動した場合を示す。モアレ縞の最も疎な部分が、図５では両尺の目盛り零の位置３３，３４に、図６では両尺の目盛り１０の位置３５，３６にそれぞれ現れる。それらの位置を取っ手握り部の窓２２の内側に付さられた重さ目盛りにより読み取ることで計量が可能となる。つまりモアレ縞の最も疎な部分が計量のための指針の役目を果たしていることになる。【００１３】  主尺と副尺の相対的移動が主尺の１日盛りに対し、モアレ縞の最も疎な部分は、主尺の目盛り零の位置から目盛り２０の位置まで移動する。つまり、計量のための指針の動きは、主尺と副尺の相対的移動の２０倍に拡大されることになる。主尺の目盛り零の位置および目盛り２０の位置で、モアレ縞の最も疎な部分の位置を正しく判定し読み取るために、この場合、主尺と副尺を両側に５日盛り程度延長する必要がある。また、図６のようにモアレ縞の最も密な部分が両端にくる状態の時に、その左端を主尺と副尺目盛り零の位置と見なすことで、モアレ縞の最も密な部分を計量のための指針として利用することも出来る。【００１４】  以上の説明では主尺と副尺の相対移動がない重さ目盛りの零点と、両尺の目盛り零が一致する場合を考えたが、実際の製造工程では、それを実現するには零点合わせの微調整作業が必要となる。副尺を上記の２倍の長さ、主尺もそれに対応する長さ用意することにより、主尺と副尺の相対ずれが主尺の１目盛り以内であれば、２個現れるモアレ縞指針の左側の位置を重さ目盛りの零と定めることにより、微調整作業なしで計量が可能となる。
【発明の効果】
【００１５】  旅行鞄などの取っ手に秤を組み込むことにより、取っ手を握り鞄を持ち上げることで、鞄の計量が出来る。取っ手の機能を損なうことなく、構造が簡単で安価な秤を組み込むことで、鞄の計量を簡便に行うことが可能となる。航空機搭乗に際し、チェックインの前に重量超過の有無が確認できれば、滞りなく手続が進むなどの効果が期待出来る。
【発明を実施するための最良の形態】
【００１６】  旅行鞄などの取っ手のうち、一対の腕部と水平な握り部から成るコの字形をして、その両腕部の端が、それぞれ取付金具を介して、鞄本体に固定された取っ手に秤を組み込む場合。
【実施例】
【００１７】  ワイヤーとして直径０．４ｍｍのピアノ線を用いると３０ｋｇの荷重に対し伸びが１ｍｍとなる。主尺として１ｍｍ間隔目盛りで長さ５０ｍｍのものを、副尺として４９ｍｍを５０等分したものを用意とすると０．６ｋｇ単位で重量の読み取りが可能となる。また、主尺が１００ｍｍ、副尺が９８ｍｍの長さのものを用意すれば、重量の読み取り単位は同じであるが、主尺と副尺の目盛り零の位置に対するずれ許容範囲は１ｍｍとなる。
【図面の簡単な説明】
【００１８】
【図１】本発明の一実施例を示す秤組み込み取っ手の正面図を一部断面図で示す図
【図２】本発明の一実施例における取っ手握り部のＡ−Ａ’矢視断面図
【図３】図２の拡大図
【図４】本発明の一実施例における主尺の平面図
【図５】本発明の主尺副尺目盛りの重なりによるモアレ縞の態様を示す図
【図６】本発明の主尺副尺目盛りの重なりによるモアレ縞の態様を示す図
【符号の説明】
【００１９】  １  取っ手握り部
２  取っ手左腕部
３  取っ手右腕部
４  左ワイヤー
５  右ワイヤー
６  左ワイヤーの左下端
７  左取り付け金具
８  左取り付け金具軸
９  左屈曲溝
１０  左ワイヤーの右端
１１  右屈曲溝
１２  右ワイヤーの左端
１３  主尺駆動金具
１４  主尺駆動ピン
１５  主尺
１６  主尺駆動用の穴
１７  副尺駆動金具
１８  副尺駆動ピン
１９  副尺
２０  副尺駆動用の穴
２１  主尺副尺挿入用の溝
２２  読み取り用窓
２３  ロッド
２４  ピストン
２５  シリンダー
２６  ストッパー
２７  腕固定部
２８  固定具
２９  腕下端
３０  主尺目盛り
３１  副尺に設けた溝
３２  主尺に設けた溝
３３  主尺の目盛り零の位置
３４  副尺の目盛り零の位置
３５  主尺の目盛り１０の位置
３６  副尺の目盛り１０の位置
【図１】
2006311976.tif 000003
【図２】
2006311976.tif 000004
【図３】
2006311976.tif 000005
【図４】
2006311976.tif 000006
【図５】
2006311976.tif 000007
【図６】
2006311976.tif 000008